(57)【特許請求の範囲】
【請求項１】
ホウ素含有化合物の極性溶剤における懸濁液であって、懸濁液はカルボマーを、懸濁液中にホウ素含有化合物を維持するのに十分な量で含有し、ホウ素含有化合物がふるい分けによって０．０６３ｍｍの開口を有するふるいを通過する粒子を多くとも２０．００重量％示す粒子サイズ分布を有する顆粒として存在し、カルボマーが架橋されており、ホウ素含有化合物は、ホウ酸、ポリホウ酸ナトリウムまたはカリウム、その水和物または非水和物形態、ホウ酸無水物、メタホウ酸ナトリウムまたはカリウム、およびその混合物から成る群から選択されることを特徴とする懸濁液。
【請求項２】
カルボマーは不飽和酸から誘導される水溶性ポリマーである請求項１記載の懸濁液。
【請求項３】
カルボキシメチルセルロース（ＣＭＣ）、セルロースゴムおよびキサンタンゴムから成る群から選択される追加の分散剤をさらに含有する請求項１または２記載の懸濁液。
【請求項４】
カルボマーは少なくとも５重量ｐｐｍの濃度で存在し、ここでは濃度は、懸濁液中にあるホウ素含有化合物の量を除いて、懸濁液の重量に関して表される請求項１〜３のいずれか１項記載の懸濁液。
【請求項５】
そのｐＨは多くとも１３．０である請求項１〜４のいずれか１項記載の懸濁液。
【請求項６】
さらに、表面張力剤、消泡剤、腐食抑制剤、スケール除去剤、光学的浄化剤、防カビ剤、殺菌剤または抗菌剤、着色剤、湿潤剤、粘度調整剤、流動性調整剤、凍結防止剤、溶剤、充填剤およびその混合物から成る群から選択される少なくとも１つの構成要素を含有する請求項１〜５のいずれか１項記載の懸濁液。
【請求項７】
中性子を吸収するための請求項１〜６のいずれか１項記載の懸濁液の使用。
【請求項８】
懸濁液は少なくとも１０％のホウ素−１０を含有し、これによってホウ素の残りはホウ素−１１として主に存在する請求項７記載の使用。
【請求項９】
核エネルギーからの電力の発生に合わせた請求項７または８記載の使用。
【請求項１０】
ガラスの製造のための請求項１〜６のいずれか１項記載の懸濁液の使用。
【請求項１１】
肥料の製造のための請求項１〜６のいずれか１項記載の懸濁液の使用。
【請求項１２】
化粧品または医薬品の製造のための請求項１〜６のいずれか１項記載の懸濁液の使用。
【請求項１３】
殺生物剤、殺虫剤または天然製品の処理の際の難燃剤としての請求項１〜６のいずれか１項記載の懸濁液の使用。
【発明の詳細な説明】
【技術分野】
【０００１】
本発明は、ホウ素含有化合物、たとえば、ホウ酸塩またはホウ酸またはその混合物の結晶、粉末または顆粒形態での溶剤または流体中における懸濁液に関する。本発明はさらに、ホウ素含有化合物の懸濁液の、多くの用途における、たとえば、核エネルギーからの電力の工業的発生に伴う核分裂反応によって生じる中性子を、たとえば、反応を制御または停止するために、たとえば吸収するための使用に関する。
【背景技術】
【０００２】
多くのホウ素含有化合物はホウ酸塩である。多くの異なる種類のホウ酸塩が存在する。製造業で典型的に使用されるホウ酸塩はナトリウムまたはカリウムに基づくものである。ホウ酸ナトリウムはその多くの異なる形態で、様々な分野の製造業で多くの用途を有する化合物である。テトラホウ酸ナトリウム５水和物（Ｎａ２Ｂ４Ｏ７・５Ｈ２Ｏ）はたとえば、絶縁性ファイバガラスおよび過ホウ酸ナトリウム漂白剤の製造では大量に使用される。テトラホウ酸ナトリウム１０水和物（Ｎａ２Ｂ４Ｏ７・１０Ｈ２Ｏ）は接着剤の一部としておよび耐食システムにおいて見られる。ホウ酸ナトリウムはまた、銀または金をはんだ付けする際の溶剤として、および鉄含有金属の溶接用に塩化アンモニウムと組み合わせて使用される。これらはまた、多くのプラスチックおよびゴム材料用の難燃添加剤として使用される。多くの洗剤、洗濯洗剤、クリーニング剤および漂白製品では、過ホウ酸ナトリウムは活性酸素源としての役割を果たす。
【０００３】
ホウ酸（Ｂｏｒｉｃ  ａｃｉｄ）（ｂｏｒａｔｅ  ａｃｉｄ、ｏｒｔｈｏｂｏｒｉｃ  ａｃｉｄまたはＡｃｉｄｕｍ  Ｂｏｒｉｃｕｍとしても知られる）Ｈ３ＢＯ３は織物状ファイバガラスおよびフラットスクリーンモニターの製造で使用される。これはまた、防腐性、抗菌性および抗ウィルス性を有し、そのために水泳プール水用消毒剤としてしばしば使用される。ホウ酸は一般的に、特にアリ、ノミおよびゴキブリに対する殺虫剤としても使用される。核エネルギープラントでは、中性子を吸収するために使用されており、これによって核分裂が生じる速度を低減することができる。これはさらに、難燃剤としておよび他の化学的化合物用前駆体として使用される。ホウ酸は無色の結晶または白色粉末の形態で提供され、水にゆっくりと溶解する。これが鉱物として存在する場合には、サッソライトとも呼ばれる場合がある。
【０００４】
ホウ酸およびホウ酸塩、たとえば、ボラックス５水和物、ペンタホウ酸ナトリウム１０水和物、メタホウ酸ナトリウム８水和物、テトラホウ酸カリウム４水和物、ペンタホウ酸カリウム８水和物および特にボラックス１０水和物は、商業的に非常に幅広く、たとえば、ホウ素含有製品の製造用原材料として、またはこれら自身が主または副成分である組成物の構成要素として使用される。ホウ素含有製品とはたとえば、化粧品、医薬品、皮および織物を処理するための製品、洗剤および接着剤、より特別にはでんぷんおよびカゼイン接着剤であってもよい。
【０００５】
原材料としてまたは混合物の成分としてのこれらのホウ素含有化合物の使用は、しばしば固形分としてこれらを添加することを含み、多くの処理でこの添加は連続的に行われる。固体形態でホウ酸またはホウ酸塩を輸送するための現状での方法は、ホッパーまたはスクリューフィーダのような自動投与システムを含むものである。製造における一般的問題点は、固体のホウ素含有化合物が塊を形成し、これが供給の障害となりまたは化合物の偏在を生じる場合があることである。塊の形成はしばしば多くのホウ素含有化合物のハイドロスコープ特性と関係し、しばしばホウ素含有化合物が添加された組成物中に存在しうる水分と結びつく。
【０００６】
ホウ酸ナトリウムは一般的ホウ素含有化合物と同様に、大抵は典型的に粉末として知られる。しかし、ホウ素含有化合物の使用に関してはある種の障害がある。なぜなら、これらの化合物のいくつかは人体の特定の危険または健康問題の可能性に関連するからである。固体形態でホウ素含有化合物を輸送し取り扱う場合には、化合物が皮膚と接触しまたは呼吸器官に進入するといったリスクが生じる。そして、粉末としての使用によって吸い込まれうる微細粒子は呼吸システムへと吸収されうる。またこれらは目を刺激しアレルギー反応を引き起こす場合もある。したがって、粉末形態でのホウ素含有化合物の使用を低減する必要がある。
【０００７】
ホウ素含有化合物、たとえば、ホウ酸ナトリウムおよびホウ酸は、製造業で幅広く使用される材料であり、したがって、これらを取り扱う人々にとって安全なホウ素含有化合物を含む組成物については、多大な要求がある。液体は容易に吸い込まれないので、通常粉末より輸送が容易で安全である。ホウ酸ナトリウムはホウ酸および他のホウ素含有化合物と同様に、水および他の溶剤に可溶性であるが、通常かなり溶解度は低い。したがって、たとえば水に特定の量のホウ素含有化合物を溶解することは、大量の液体を要し、そして輸送が困難となる場合がある。
【発明の概要】
【発明が解決しようとする課題】
【０００８】
本発明の目的は、ホウ素含有化合物を安全でより効果的な方法で輸送および取り扱うことができる組成物を提供することである。
【０００９】
本発明は上記問題点を取り除きまたは少なくとも軽減し、および／または一般的に改良品を提供することを目的とする。
【課題を解決するための手段】
【００１０】
発明者はホウ素含有化合物を懸濁液中に導入するといった考えに至った。
【００１１】
したがって、本発明はホウ素含有化合物の極性溶剤、好ましくは水における懸濁液を提供するものであって、懸濁液はカルボマーを、好ましくは懸濁液中にホウ素含有化合物を維持するのに十分な量で、より好ましくはより長期間懸濁液を安定に維持するのに十分な量で含有することを特徴とする。
【００１２】
ホウ素含有化合物、ホウ酸塩またはホウ酸の懸濁液では、化合物自身は非常に部分的にのみ溶解し、主に粒子の形態で液体中に存在する状態にある。水中に多量のホウ素含有化合物の粉末または顆粒を混合しても、化合物は容易に懸濁液にはならない。驚くべきことに、発明者は、カルボマーを懸濁液に添加すると、流体または溶剤におけるホウ素含有化合物の安定的懸濁液がまさに得られうることを発見した。このようにして、多量のホウ素含有化合物を比較的少量の液体における懸濁液中に導入することができる。
【００１３】
このような懸濁液は、多量のホウ素含有化合物をコンパクトでかつ安全な方法で輸送することができるといった利益をもたらす。
【００１４】
さらなる利益は、ホウ素含有化合物粒子が化合物を粉末として輸送する際に生じていた塊にならないことである。これによってホウ素含有化合物を輸送する導管の目詰まりを排除する。
【００１５】
発明者はさらに、カルボマーが懸濁液の粘度に影響し、懸濁液を非ニュートン流体、すなわち非ニュートン粘度および／または流動性状を有する流体へと変化させることを見出した。他方で、懸濁液の粘度は低せん断力では比較的高くなり、このことは安静時には粒子の移動を弱め、効果的に懸濁液の安定性を改良する。他方で、懸濁液の粘度は高せん断力では低くなり、このことは少しのエネルギーしか必要としないので、効果的に懸濁液のポンプ効果を改良し、したがって、効果的に主に懸濁液の取り扱い性を改良する。
【００１６】
この流動性状は、一般的ポンプを使用する懸濁液の容易な輸送を可能にし、希釈懸濁液を調製するのに非常に便利である。したがって、懸濁液におけるホウ素含有化合物の濃度を必要に応じて、これはたとえば、ホウ素含有化合物を４，０００〜５００，０００重量ｐｐｍといった幅広い範囲で容易に調節することができる。
【００１７】
本発明による懸濁液はしたがって、安定的に高濃度のホウ素含有化合物を含むことができ、この化合物は沈殿しないので、これによって化合物は液体中に保持されかつ粉末として吸い込まれることもなく、また、懸濁液は同時に容易にポンピング可能でもある。
【００１８】
別の実施の形態では、本発明は中性子を吸収するための本発明による懸濁液の使用について提供するものであって、ここで懸濁液は好ましくは少なくとも１０％のホウ素−１０、より好ましくは少なくとも１２％のホウ素−１０、さらにより好ましくは少なくとも１４％のホウ素−１０、好ましくは少なくとも１６％のホウ素−１０、より好ましくは少なくとも１８％のホウ素−１０、およびさらにより好ましくは少なくとも１９％のホウ素−１０を含有し、これによってホウ素の残りはホウ素−１１として主に存在する。本願では、たとえばホウ素−１０同位体の存在が、自然に生じるホウ素−１１に対するホウ素−１０の割合と比べて増加した場合のように、同位体においてある種のホウ素含有化合物が豊富化したものを用いてもよい。
【００１９】
また別の実施の形態では、本発明はガラス、たとえば、ガラスファイバ、好ましくはホウケイ酸ガラスの製造のための本発明による懸濁液の使用を提供する。
【００２０】
さらに別の実施の形態では、本発明は肥料製造のための本発明による懸濁液の使用を提供する。
【００２１】
また別の実施の形態では、本発明は化粧品または医薬品の製造のための、たとえば、防腐剤、粘度調整剤またはｐＨ調整剤としてまたは安定剤としての本発明による懸濁液の使用を提供する。
【００２２】
さらに別の実施の形態では、本発明は殺生物剤、殺虫剤またはたとえば、木、ラテックスゴムおよび／または皮のような天然製品の処理の際の難燃剤としての本発明による懸濁液の使用を提供する。
【００２３】
濃縮形態または希釈後の使用であってもよい。
【発明を実施するための形態】
【００２４】
好ましくは懸濁液中に導入されるホウ素含有化合物は、ホウ酸、ポリホウ酸ナトリウムまたはカリウム、その水和物または非水和物形態、ホウ酸無水物、メタホウ酸ナトリウムまたはカリウム、好ましくはテトラホウ酸、ペンタホウ酸またはオクタホウ酸ナトリウム、より好ましくはテトラホウ酸ナトリウム１０水和物またはボラックス（Ｎａ２Ｂ４Ｏ７・１０Ｈ２Ｏ）、ケルナイト（Ｎａ２Ｂ４Ｏ７・４Ｈ２Ｏ）、コレマナイト（Ｃａ２Ｂ６Ｏ１１・１０Ｈ２Ｏ）およびその混合物から成る群から選択される。
【００２５】
本発明の内容では、ホウ素含有化合物の一部は溶液となってもよいと理解される。したがって、懸濁液とは、特定の溶剤中に通常２５℃で測定して、または特定しなければ室温（このために通常２３℃を用いる）で、ホウ素含有化合物の溶解度を上回る量のホウ素含有化合物含むものである。たとえば、脱水ボラックスは水において約４．７１重量％の溶解度を有する。
【００２６】
発明者はホウ素含有化合物を顆粒として使用することが、同じ化合物を粉末として使用するのに比べて有益であることを見出した。発明者は、顆粒は作業がより容易で作業場でのダストの発生が少ないことを見出した。これによって、作業場をよりクリーンに保つことができ、作業員の良好な労働衛生を維持するための設備をより簡素化する。顆粒粒子はまた、より容易に湿潤し、顆粒はより容易に懸濁液になることも見出した。
【００２７】
好ましくは発明者は、ふるい分けによって０．０６３ｍｍの開口を有するふるいを通過する粒子を多くとも２０．００重量％、より好ましくは多くとも１０．００重量％、さらにより好ましくは多くとも６．００重量％および好ましくは多くとも４．００重量％示す粒子サイズ分布を有する形態の顆粒を使用する。さらに好ましくは、多くとも１０．００重量％、好ましくは多くとも６．００重量％、より好ましくは多くとも４．００重量％、典型的にさらに多くとも２．００重量％および所望なら１．００重量％以下は１．０００ｍｍの開口を有するふるいに留まる。好ましくは代替として、多くとも０．１重量％のみがＵＳ規格ふるい（ＵＳ  Ｓｔａｎｄａｒｄ  ｓｉｅｖｅ）Ｎｏ  ８（２．３８ｍｍのふるい開口）で留まり、より好ましくはさらに多くとも２．０重量％がＵＳ規格ふるいＮｏ  ２０（０．８４１ｍｍのふるい開口）で留まるといったふるい仕様書を有する顆粒を選択してもよい。
【００２８】
市販入手可能で好適なホウ素含有化合物はたとえば、エチマイン（Ｅｔｉｍｉｎｅ）ＳＡからエチ・マイン（Ｅｔｉ  Ｍｉｎｅ）系列（エチ・マイン・ワークス（Ｅｔｉ  Ｍｉｎｅ  Ｗｏｒｋｓ）としても知られる）、ターキッシュ社（Ｔｕｒｋｉｓｈ  ｃｏｍｐａｎｙ）から、たとえば、商品名エンチマデン（ＥＮＴＩＭＡＤＥＮ）（登録商標）で、およびボラックス社（Ｂｏｒａｘ  Ｃｏｍｐａｎｙ）から、リオ・チント（Ｒｉｏ  Ｔｉｎｔｏ）系列、イギリスおよびオーストラリアの決定センターでの国際群から得られる。ボラックス社はホウ酸用に商品名オプチバー（Ｏｐｔｉｂｏｒ）（登録商標）を使用する場合があり、追加の注記ＳＱ付きのホウ素含有化合物、たとえば、ホウ酸だけでなくテトラホウ酸カリウムを含むものを提供しており、これは特に核産業向けである。この用途では、発明者は、より大きな顆粒、たとえば、ＵＳ規格ふるいＮｏ．８を用いる仕様に従うが、より少量の特定の不純物、たとえば、多くとも３．０ｐｐｍのＳＯ４および／または多くとも０．４ｐｐｍのＣｌおよび／または多くとも２．０ｐｐｍのＦｅ（常に重量に基づいて表され、ホウ酸に特に適用可能）しか含有しないものを使用することを望む。ホウ素含有化合物の他の顆粒は所望なら、多くとも５００ｐｐｍのＳＯ４、好ましくは多くとも３５０ｐｐｍのＳＯ４、より好ましくは多くとも７０ｐｐｍのＳＯ４、多くとも５０ｐｐｍのＣｌ、好ましくは多くとも１８ｐｐｍのＣｌ、より好ましくは多くとも１０ｐｐｍのＣｌおよび／または多くとも１０ｐｐｍのＦｅ、好ましくは多くとも７ｐｐｍのＦｅ、およびより好ましくは多くとも６ｐｐｍのＦｅ（常に重量に基づいて表される）を含有してもよい。
【００２９】
本発明の内容では、カルボマーとはモノマーとして不飽和酸またはその誘導体、たとえば、エステルまたはアミドを含有する水溶性ポリマーとして定義され、これは好ましくは、式ＣＨ２＝ＣＲ−ＣＯ−ＧまたはＣＨ２＝ＣＲ−ＣＯＯ−Ａ１によって表されてもよい。この式で、ＲはＨ、一価アルキル、アリールまたはアルキルアリール基および一価シクロアルキル基の群から選択される置換基を表すが、Ｈが置換基として好ましく、ＣＨ３は非常に好適な第２の選択肢である。しかし、Ｒはまた、アルキル、アルコキシ、ハロアルキル、シアノアルキルおよび１〜９個の炭素原子を含む同様の基の群から選択されてもよい。Ｇはアミン基−ＮＬ２、たとえば、−ＮＨ２を表してもよく、この場合にはモノマーは好ましくはアクリルアミドまたはメタクリルアミドである。Ａ１および／またはＬはＲおよびＧから独立して、Ｈ、一価アルキル、アリールまたはアルキルアリール基および一価シクロアルキル基の群から選択される置換基を表すが、Ｈが置換基として好ましく、この場合にはモノマーは不飽和カルボン酸であってもよい。しかし、Ａ１および／またはＬはまた、アルキル、アルコキシ、ハロアルキル、シアノアルキルおよび１〜３５個の炭素原子を含む同様の基の群から選択されてもよい。
【００３０】
カルボマーは好ましくは主にまたは全体的に（メタ）アクリル酸またはメタクリル酸のホモポリマー、またはその混合物のコポリマーであり、これは架橋されてもよい。
【００３１】
任意に他のコポリマーを用いてもよい。モノカルボン酸および／またはそのエステルにさらに、ポリカルボン酸および／またはそのエステルをコモノマーとして、たとえば、アクリレートまたはメタクリレート、および任意にアルキルアルコキシレート化エステル、たとえば、アルキルアルコキシレート化アクリレートまたはメタクリレートを使用してもよく、これはＣ１５〜Ｃ３５アルキルアルコキシレート化アクリレートまたはメタクリレートであってもよい。特に少なくとも１つの炭素−炭素オレフィン性二重結合および少なくとも１つのカルボキシル基を含むオレフィン性不飽和カルボン酸、および／またはそのエステルが好ましい。好適な例には、アクリル酸、特にアクリル酸、メタクリル酸、エタクリル酸、アルファ−シアノアクリル酸、ベータ−メタクリル酸（クロトン酸）、アルファ−フェニルアクリル酸、ベータ−アクリルオキシプロピオン酸、ケイ皮酸、ｐ−クロロケイ皮酸、１−カルボキシ−４−フェニル−１，３−ブタジエン、３−アクリルアミド−３−メチルブタン酸、イタコン酸、シトラコン酸、メサコン酸、グルタコン酸、アコニット酸、マレイン酸、フマル酸およびトリカルボキシエチレンがある。好適なポリカルボン酸の例には、酸無水物、たとえば、マレイン酸無水物があり、ここで無水物基は、同じカルボン酸分子上に位置する２個のカルボキシル基から１分子の水を除去することによって形成される。しかし、アクリルおよびメタクリル酸が好ましい。
【００３２】
アルキルアルコキシレート化アクリレートまたはメタクリレートは疎水性コモノマーである。疎水性コモノマーは通常１つの酸またはその２個以上の混合物のエステルであり、これには各種公知の（メタ）アクリレートまたは（メタ）アクリルアミドの１つが含まれてもよい。
【００３３】
アルキルアルコキシレート化（メタ）アクリレートのアルキル基は、５〜３０個の炭素原子、好ましくは１５〜３０、より好ましくは２０〜２５個の炭素原子を含有してもよい。アルキル構造は第１、第２または第３炭素配列を含んでもよい。好適なアルキルアルコキシレート化アクリレートの例には、メトキシメチルアクリレート、メトキシエチルアクリレート、エトキシエチルアクリレート、ブトキシエチルアクリレートまたはエトキシプロピルアクリレートがある。アルキル構造はまた、フェニル基を含んでもよく、これは置換されてもよく、かつ好適なアルキル構造はオクチルフェニル、ノニルフェニルおよびドデシルフェニル構造であり、そのアルコキシレート化誘導体、たとえば、１〜１２個のエトキシおよび／またはプロポキシ基を含有するものは容易に市販入手可能である。
【００３４】
カルボマー内のモノマーはオクタデシルアクリレート、ベヘニルアクリレート、ドデシルアクリレート、ヘキサデシルアクリレート等；およびそのシアノ誘導体；メタクリレート、たとえば、ステリルメタクリレート、メチルメタクリレート、エチルメタクリレート、オクチルメタクリレート、イソプロピルメタクリレート、２−エチルヘキシルメタクリレート、ｎ−ヘキシルメタクリレート、オクタデシルメタクリレート、ベヘニルメタクリレート、ドデシルメタクリレート、ヘキサデシルメタクリレート等であってもよい。２または３またはそれ以上の長鎖アクリル酸エステルの混合物を、カルボン酸および／またはエステルモノマーの１つと適宜重合してもよい。好ましい疎水性モノマーは線形長鎖疎水性モノマー（ここでアルキル基は少なくとも１２個の炭素原子を含有する）、たとえば、ステアリルメタクリレート、ヘキサデシルメタクリレート、およびベヘニルメタクリレートである。任意に、疎水性アルキルまたはアルキルアリール基でキャップされたポリアルキレンオキサイド分岐を含む疎水性錯体を用いてもよい。
【００３５】
アルコキシレート化アルコールの（メタ）アクリル酸エステルについて、アルキル基は典型的に、Ｃ８〜Ｃ２４アルキル；アルキルフェニル基、たとえば、オクチルフェニルおよびノニルフェニルを含むアルキルアリール；または多環式ヒドロカルビル化合物、たとえば、ラノリンまたはコレステロールの残基である。好適なアルキル基には、トリデシル、ミリスチル、ペンタデシル、セチル、パルミチル、ステアリル、エイコシルおよびベヘニルまたはドコシルまたはその混合物がある。このような好適なモノマー混合物はたとえば、ラウリル、ステアリル、セチルおよびパルミチルアルコールの混合物のアルコキシレート化に由来するものであってもよい。
【００３６】
上記カルボマー（コ）ポリマーは好ましくは架橋される。架橋剤として、各種ポリ不飽和モノマーを用いてもよく、これによって部分的または実質的に架橋された三次元ネットワークが得られる。好適な架橋剤にはスクロースまたはペンタエリトリトールのアリルエーテル、または他のポリ不飽和モノマー、たとえば、ジアリルエステル、ジメタリルエーテル、アリルまたはメタリルアクリレートおよびアクリルアミド、テトラアリル錫、テトラビニルシラン、ポリアルケニルメタン、ジアクリレートおよびジメタクリレート、ジビニル化合物たとえば、ジビニルベンゼン、ジビニルグリコール、ポリアリルホスフェート、ジアリルオキシ化合物、ホスフィトエステル等がある。典型的なポリ不飽和モノマーには、ジ、トリまたはテトラ、ペンタまたはヘキサアリルスクロース；ジ、トリまたはテトラアリルペンタエリトリトール；ジアリルフタレート、ジアリルイタコネート、ジアリルフマレート、ジアリルマレエート、ジビニルベンゼン、アリルメタクリレート、アリルシトレート、エチレングリコールジ（メタ）アクリレート、トリメチロールプロパントリアクリレート、１，６−ヘキサンジオールジアクリレート、ペンタエリトリトールトリアクリレート、テトラメチレンジエタクリレート、テトラメチレンジアクリレート、エチレンジアクリレート、エチレンジメタクリレート、トリエチレングリコールメタクリレート、メチレンビスアクリルアミド等がある。また、エチレン性不飽和カルボン酸等でエステル化されたキャスタオイルまたはポリオールを用いてもよい。好ましい架橋剤にはアリルペンタエリトリトール、アリルスクロース、トリメチロールプロパンアリルエーテルおよびジビニルグリコールがある。
【００３７】
本発明による好ましいカルボマーは式（Ｉ）を有するポリマーであってもよい。
【化１】
0005882317.tif 000002
【００３８】
別の実施の形態では、本発明によるカルボマーは式（ＩＩ）を有するポリマーである。
【化２】
0005882317.tif 000003
【００３９】
式（Ｉ）および（ＩＩ）において、ｚは０または１であってもよく；ｚが１の場合には、（ｘ＋ｙ）：ｚは４：１〜１，０００：１、好ましくは６：１〜２５０：１であってもよく；ここでモノマーユニットはランダム配列でもよく、ｙは好ましくは０から最大でもｘと同じ値までであり；ｎは少なくとも１であり；さらに、
Ｒはここで先に特定された意味を有し；
Ｒ１は独立して１〜５０の選ばれたアルキレンオキシ基、好ましくはエチレンオキサイドおよび／またはプロピレンオキサイド基を表し；
Ｒ２はＣ４〜Ｃ３５炭化水素基；好ましくは飽和アルキルを表し、しかし場合によってはフェニル基を含み、この場合にはＲ２はオクチルフェノール、ノニルフェニルまたはドデシルフェニル基を表すことが望ましく；
Ｒ３は水素またはＣ１〜Ｃ４アルキル、好ましくはＨまたはＣＨ３を表し；
Ａ１、Ａ２およびＡ３は独立して水素およびアルキル基、好ましくはＣ１〜Ｃ４アルキル基から選択される。
【００４０】
式（Ｉ）および（ＩＩ）において、−Ｏ−Ａ１、−Ｏ−Ａ２または−Ｏ−Ａ３のいずれかは、典型的に式−ＮＬ２を有するアミン基によって置換されてもよく、ここでＬはここで先に特定された意味を有する。
【００４１】
カルボマーの製造について、いずれの好適な重合技術を用いてもよい。フリーラジカル重合技術、たとえば、キルク−オスマー（Ｋｉｒｋ−Ｏｔｈｍｅｒ），第５版，ウィレイ（Ｗｉｌｅｙ），第２０巻に開示されるような当業者に公知の技術を用いることが望ましい。
【００４２】
本発明の実施の形態では、カルボマーは、ＧＰＣによって測定されるように、２０，０００〜５，０００，０００、好ましくは３５，０００〜３，０００，０００、より好ましくは５０，０００〜２，０００，０００、さらにより好ましくは７０，０００〜１，０００，０００、またより好ましくは８０，０００〜５００，０００、さらにより好ましくは９０，０００〜２００，０００および最も好ましくは多くとも１３０，０００の範囲の平均分子量Ｍｎを有する。カルボマーは好ましくは架橋される。分子量は好ましくは、カルボマーをジメチルアセトアミド（ＤＭＡ）中に溶解し、ポリメチルメタクリレート参照標準でキャリブレートされた解析システムにおいて、ゲル浸透クロマトグラフィー（ＧＰＣ）によって決定される。より好ましくは、このように分析されるカルボマーはまた、常にＤＭＡに関して、５０，０００〜５，０００，０００、好ましくは１００，０００〜３，０００，０００、より好ましくは１３０，０００〜２，０００，０００およびさらにより好ましくは１５０，０００〜２００，０００の範囲のＭｗを有する。コポリマーの多分散度は好ましくは１〜５、より好ましくは１．１〜４．０、さらにより好ましくは１．２〜３．０、またより好ましくは１．３〜２．０、さらにより好ましくは１．４〜１．７およびさらにより好ましくは多くとも１．７の範囲であり、同じ方法で決定される。
【００４３】
上記効果は、アクリル酸ホモポリマー、特に式ＩＩＩに対応する３〜５個の炭素原子を有するα，β不飽和一塩基性アクリル酸を含むカルボマー添加剤を用いた場合に発現し：
ＣＨ２＝ＣＲ−ＣＯＯＨ      （式ＩＩＩ）
ここでＲはＨ、一価アルキル、アリールまたはアルキルアリール残基および一価シクロアルキル残基の群から選択される置換基を表すが、Ｈが置換基として好ましい。しかし、Ｒはまたアルキル、好ましくはメチル、アルコキシ、ハロアルキル、シアノアルキルおよび１〜９個の炭素原子を有する同様の基の群から選択されてもよい。
【００４４】
アクリル酸およびメタクリル酸のホモポリマーは、経済的に妥当な価格で容易に市販入手可能であり、粘度変更が所望どおりになるので、好ましい。
【００４５】
本発明による組成物に圧力またはせん断力を印加しない第１状態と、組成物に圧力またはせん断力を施す第２状態間の好ましい粘度比は、添加剤を用いて得られるものであり、添加剤ではホモポリマーは少なくとも２つの末端ビニルＣＨ２＝Ｃ基を有する多官能性モノマーである架橋剤で架橋されて、上記のような分子量、またさらには０．０５〜１００、好ましくは０．５〜１０、より好ましくは１〜５×１０９ダルトンを有するとともに、添加剤は高いせん断力では粘度を低下させ、せん断力を排除すると直ちに粘度を上昇させるといった特性を有する。
【００４６】
好ましくは、ポリアルケニルポリエーテル、特にアリルペンタエリトリトール架橋剤を用いる。他の好適な架橋剤は少なくとも２つの末端ビニルＣＨ２＝Ｃ基を有する多官能性モノマー、たとえば、ブタジエン、イソプレン、ジビニルベンゼン、ジビニルナフタレン、アリルアクリレート等である。好ましい架橋剤はアルケニル基を含むものであり、ここではオレフィン二重結合が末端メチレン基に結合される。特に好ましい架橋剤は、分子当たり平均２以上のアルケニルエーテル基を有するポリエーテルである。他の好適な架橋剤はジアリルエステル、ジメチルアリルエーテル、アリルまたはメタリルアクリレート、アクリルアミドを含む。その例はアリルペンタエリトリトール、アリルサッカロース、トリメチロールプロパントリアクリレート、１，６−ヘキサンジオールジアクリレート、トリメチロールプロパンプロパンジアリルエーテル、ペンタエリトリトールトリアクリレート等である。
【００４７】
上記効果は、式ＩＩＩのアクリル酸が式ＩＶを有する少なくとも１つのアルキルアクリレートと共重合することによるコポリマーを含む添加剤を用いた場合にも見られ：
ＣＨ２＝ＣＲ’−ＣＯ−ＯＲ”      （式ＩＶ）
ここでＲ’はＨ、メチル、エチルから成る群から選択され、Ｒ”はＣ１０〜Ｃ３０アルキル基、好ましくはＣ１０〜Ｃ２０の基であり、コポリマーは好ましくは上記のように、少なくとも２つの末端ビニルＣＨ２＝Ｃ基を有する多官能性モノマーである架橋剤で架橋される。
【００４８】
式ＩＶの代表的なアクリレートは、メチルアクリレート、エチルアクリレート、プロピルアクリレート、ブチルアクリレート、メチルメタクリレート、メチルエタクリレート、オクチルアクリレート、ラウリルアクリレート、ステアリルアクリレート、ベヘニルアクリレートおよび対応するメタクリレートである。好適なコポリマーは、２以上のリストの化合物と式ＩＩＩのアクリル酸との混合物のコポリマーを含む。他のコモノマーは、アクリロニトリル、オレフィン性不飽和ニトリル、好ましくは３〜１０個の炭素原子を有するもの、たとえば、アクリロニトリルおよびメタクリロニトリル；モノオレフィン性不飽和アクリルアミド、たとえば、アクリルアミドおよびメタクリルアミド、４〜１０個の炭素原子を有するものを含むα，β−オレフィン性不飽和カルボン酸のＮ−アルキロールアミド、好ましくはＮ−メチロールメタクリルアミドを含む。
【００４９】
本発明の内容でカルボマーとしての使用に好適な市販入手可能な製品は、シグマ・ケミカル社（Ｓｉｇｍａ  Ｃｈｅｍｉｃａｌ  Ｃｏｍｐａｎｙ）から、たとえば、商品名ポリゲル（Ｐｏｌｙｇｅｌ）（登録商標）で提供される製品、たとえば、ポリゲル（登録商標）ＣＢ  ３Ｖ、ローム＆ハース（Ｒｏｈｍ  ＆  Ｈａａｓ）から、たとえば、商品名アクソール（Ａｃｕｓｏｌ）（登録商標）で提供される製品、ノベオン（Ｎｏｖｅｏｎ）またはルブリゾール（Ｌｕｂｒｉｚｏｌ）から、たとえば、商品名ペムレン（Ｐｅｍｕｌｅｎ）（登録商標）および／またはカルボポール（Ｃａｒｂｏｐｏｌ）（登録商標）で提供される製品、たとえば、カルボポール６７４または９８１、カルボポールＥＴＤ  ２０５０、またはノベシックス（Ｎｏｖｅｔｈｉｘ）（登録商標）Ｌ−１０、ワコー・ピュア・ケミカル社（Ｗａｋｏ  Ｐｕｒｅ  Ｃｈｅｍｉｃａｌ  Ｉｎｄｕｓｔｒｉｅｓ）（日本）から、またはアライド・コロイド（Ａｌｌｉｅｄ  Ｃｏｌｌｏｉｄｓ）（イギリス）から、たとえば、サルケア（Ｓａｌｃａｒｅ）（登録商標）またはＳＮＦフロエルガ（Ｆｌｏｅｒｇｅｒ）による商品名フロスパーズ（Ｆｌｏｓｐｅｒｓｅ）（登録商標）で提供される製品で入手可能である。カルボマーは固体粉末、たとえば、カルボポール６７４またはポリゲルＣＢ−３Ｖとして入手してもよいが、液体分散体、たとえば、ポリゲルＷ４００またはＷ３０１ポリゲルまたはポリゲルＤＲとして入手してもよい。液体形態は高せん断力混合を要しないので処理が容易で、粉末カルボマーの溶解にとって非常に好ましい。我々の係続中の特許出願ＰＣＴ／ＥＰ２０１０／０５３０５１号公報で非常に詳細にノベシックスＬ−１０を議論している。
【００５０】
本発明の実施の形態では、カルボマーは式ＩＩＩに対応する３〜５個の炭素原子を有するα，β−不飽和一塩基性アクリル酸のホモポリマーを含む。
ＣＨ２＝ＣＲ−ＣＯＯＨ      （式ＩＩＩ）
ここでＲはＨ、一価アルキル、アリールまたはアルキルアリール残基および一価シクロアルキル残基、１〜９個の炭素原子を有するアルコキシ、ハロアルキル、シアノアルキルの群から選択される置換基を表し、ホモポリマーは好ましくは、少なくとも２つの末端ビニルＣＨ２＝Ｃ基を有するモノマーである架橋剤で架橋される。
てもよい。
【００５１】
本発明の別の実施の形態では、カルボマーは、
（ｉ）式ＩＩＩに対応する３〜５個の炭素原子を有するα，β−不飽和一塩基性アクリル酸：
ＣＨ２＝ＣＲ−ＣＯＯＨ      （式ＩＩＩ）
（ここでＲはＨ、一価アルキル、アリール、アルキルアリール残基、一価シクロアルキル残基、１〜９個の炭素原子を有するアルコキシ、ハロアルキル、シアノアルキルの群から選択される置換基である）と、
（ｉｉ）式ＩＶで表される少なくとも１つのアルキルアクリレート：
ＣＨ２＝ＣＲ’−ＣＯ−ＯＲ”      （式ＩＶ）
（ここでＲ’はＨ、メチル、エチルの群から選択され、ここでＲ”はＣ１０〜Ｃ３０アルキル基である）
とのコポリマーを含み、コポリマーは好ましくは、少なくとも２つの末端ビニルＣＨ２＝Ｃ基を有する多官能性モノマーである架橋剤で好ましく架橋される。
【００５２】
本実施の形態では、式ＩＶのＲ”は好ましくはＣ１０〜Ｃ２０アルキル基である。
【００５３】
本発明の別の実施の形態では、カルボマーは、ゲル浸透クロマトグラフィー（ＧＰＣ）によって測定されるように、２０，０００〜５，０００，０００の範囲の平均分子量Ｍｎを有する。
【００５４】
好ましくは、本発明によるカルボマーはそれ自身が架橋され、好ましくはカルボマーの架橋剤はアリルペンタエリトリトールである。
【００５５】
また別の実施の形態では、本発明による組成物中のカルボマーはそれ自身が擬似プラスチック材料である。
【００５６】
本発明による組成物中にカルボマーを投入する場合には、好ましくは膨張性の流体または非ニュートン組成物の性質を明確に観察するために、十分なカルボマーを添加する。
【００５７】
別の実施の形態では、カルボキシメチルセルロース（ＣＭＣ）、セルロースゴムおよびキサンタンゴムから成る群から選択される追加の分散剤が選ばれてもよい。
【００５８】
カルボマー分散剤はホウ素含有化合物を非常に効果的に懸濁液中に保持することができることを、発明者は示してきた。この種の分散剤の使用に関するさらなる利点は、懸濁液がチキソトロピー（非ニュートン）流動性状を示しうることである。これによって輸送時に移動している懸濁液は非常に容易に流動するが、安静時にはホウ酸塩またはホウ酸粒子を懸濁液中に保持するのに十分な粘度を示す。
【００５９】
このような懸濁液はさらに、製造が非常に容易であるといった大きな利益をもたらす。１つのカルボマー分散剤を懸濁液に添加し、また比較的少量の分散剤を添加するだけで、ホウ素含有化合物を懸濁液中に保持することができ、これによってさらに追加の化合物、たとえば、膨張性粘土を追加の分散剤として、膨張性粘土を安定化するために、さらなる追加の分散剤と任意に組み合わせて添加する必要がない。
【００６０】
既存のボラックス懸濁液に比べて本発明による懸濁液のさらなる利点は、本発明による懸濁液が透明な白色であることである。これは、ある種の産業分野、たとえば、不透明または着色懸濁液が望ましくない核産業では多大な利益をもたらす。
【００６１】
さらに、本懸濁液は、分散剤の反応性が低いといった利益をもたらす。このことはホウ酸が懸濁液中に保持されねばならない場合に特に重要である。ホウ酸は特定の他の物質とかなり反応性があり、したがってたとえば、ある種のポリサッカリドと反応し、これによってこれらの化合物がホウ酸を懸濁液中に保持するための分散剤として不適切となる場合がある。
【００６２】
好ましくは、カルボマーは全懸濁液に基づいて少なくとも５重量ｐｐｍで、かつ同じ基準に基づいて任意に２．５重量％以下、好ましくは２．０重量％以下、より好ましくは１．５重量％以下およびさらにより好ましくは１．０重量％以下の濃度で存在する。より好ましくはカルボマーは、少なくとも５０重量ｐｐｍ、より好ましくは少なくとも５００重量ｐｐｍ、さらにより好ましくは少なくとも７５０重量ｐｐｍ、またより好ましくは少なくとも９００重量ｐｐｍ、より好ましくは少なくとも０．１重量％、好ましくは少なくとも０．２重量％、より好ましくは少なくとも０．５重量％、さらにより好ましくは少なくとも１．０重量％、好ましくは少なくとも２．０重量％で、かつ任意に多くとも６．０重量％、好ましくは５．０重量％以下、より好ましくは多くとも４．０重量％で存在し、ここでは濃度は、懸濁液中にあるホウ素含有化合物の量を除いて、懸濁液の重量に関して表される。
【００６３】
本発明による組成物中のカルボマーの存在は、赤外線（ＩＲ）分光測定法によって、好適なキャリブレーション曲線を作成して決定されてもよく、この方法は組成物中に存在するカルボマーの量の量的同定に好適でありうる。ユニバーサル・ＡＴＲ・サンプリング・アクセサリ（Ｕｎｉｖｅｒｓａｌ  ＡＴＲ  Ｓａｍｐｌｉｎｇ  Ａｃｃｅｓｓｏｒｙ）を備えるパーキン・エルマー（Ｐｅｒｋｉｎ  Ｅｌｍｅｒ）ＦＴ−ＩＲスペクトロメータ・スペクトラム（Ｓｐｅｃｔｒｏｍｅｔｅｒ  Ｓｐｅｃｔｒｕｍ）１００を用いることが望ましい。
【００６４】
実施の形態では、本発明による懸濁液は多くとも１３．０、好ましくは多くとも１２．５、より好ましくは多くとも１２．０、またより好ましくは多くとも１１．５、より好ましくは多くとも１１．０、さらにより好ましくは多くとも１０．５、またより好ましくは多くとも１０．０、さらにより好ましくは多くとも９．５、またより好ましくは多くとも９．０、またはより好ましくは多くとも８．５、さらにより好ましくは多くとも８．０、および最も好ましくは多くとも７．５のｐＨで、かつ任意に少なくとも４．０、好ましくは少なくとも５．０、より好ましくは少なくとも６．０、さらにより好ましくは少なくとも６．５および最も好ましくは少なくとも６．８のｐＨを有する。ｐＨは対数目盛であり、ｐＨで１単位の減少、たとえば、１２．５から１１．５への減少は塩基濃度での換算係数１０の減少、したがって、ｐＨを調節するのに使用されうる苛性ソーダの濃度で１０倍の減少を表すことを覚えておくことが重要である。この特性は、幅広い範囲の構成材料とより良好に適合するだけでなく、懸濁液の漏れや放出の際に考えられるダメージに対するリスクを減らすといった利益を提供する。
【００６５】
我々は、カルボキシメチルセルロース（ＣＭＣ）またはセルロースゴム、またはキサンタンゴムをカルボマーとともに使用してもよいことを見出した。この化合物はさらに粘度を変更することに寄与しおよび／または組成物を濃厚にしうる。我々は、ＣＭＣをカルボマーと組み合わせて用いてもよく、ＣＭＣを含有する本発明による組成物は、ＮａＯＨのような強塩基によるＣＭＣの変性を排除するために、好ましくは多くとも１０．０、より好ましくは多くとも９．０のｐＨを有することを見出した。
【００６６】
別の実施の形態では、本発明による懸濁液の粘度は、印加されるせん断力の量を低い値に低減すれば、著しく増加する。そうゆうものとして、本発明による組成物の粘度比は、ブルックフィールド（Ｂｒｏｏｋｆｉｅｌｄ）粘度計において２５℃でスピンドル３を用いて測定され、ｍＰａ．ｓまたはｃＰで表され、１ｒｐｍ（低せん断力）のスピンドル速度で測定された粘度を１００ｒｐｍ（高せん断力）のスピンドル速度で測定された粘度で割ったものであるが、これは好ましくは少なくとも５．００、好ましくは少なくとも７．０、より好ましくは少なくとも１０．０、さらにより好ましくは少なくとも１２．０またはさらに１５．０、さらにより好ましくは少なくとも２０．０である。この比が高いほど、懸濁液をポンピングした場合とこれが安静である場合間の懸濁液の性状における差異が大きくなる。
【００６７】
ホウ素含有化合物は本発明によるカルボマーによって懸濁液へと導入されうる。まず、水中にカルボマーを含有するゲルを、０．５〜６重量％、好ましくは１〜５重量％およびより好ましくは２〜４重量％の範囲の濃度で、典型的には高せん断力ミキサーを用いて調製するのが最も好適である。次に、１０００ｋｇのこのゲルに、ホウ素含有化合物、たとえば、１００〜２０００ｋｇのボラックス、好ましくは４００〜１８００ｋｇのボラックス、より好ましくは５００〜１５００ｋｇのボラックス、さらにより好ましくは５５０〜１０００ｋｇのボラックスを懸濁させてもよい。ホウ素含有化合物を単純混合時に添加してもよく、高せん断力ミキサー内でのゲルの調製時に添加してもよい。ホウ素含有化合物のこのような懸濁液は、一連の用途での使用および本発明による使用に好適である。
【００６８】
また別の実施の形態では、本発明による懸濁液はさらに、表面張力剤、消泡剤、スケール除去剤、光学的浄化剤、防カビ剤、殺菌剤または抗菌剤、着色剤、湿潤剤、粘度調整剤、流動性調整剤、凍結防止剤、溶剤、充填剤およびその混合物から成る群から選択される少なくとも１以上の構成要素を含有する。これらの構成要素を本発明の工程のいずれの地点で導入してもよく、かつ生じる流体のいずれに導入してもよい。
【００６９】
好ましくは懸濁液用に使用される溶剤は水である。また、他の溶剤、たとえば、メタノール、エタノールまたは業界で公知の他のいずれかの極性溶剤を使用してもよい。
【００７０】
本発明は、ホウ酸またはホウ酸塩を連続的にまたは半連続的に混合工程または反応環境に添加することが望ましい用途、より特別にはホウ酸塩またはホウ酸の添加を制御された方法で定量し制御することが求められる用途、特に高湿度で行われる用途では非常に有用でありうる。本発明は、洗剤またはクリーナの製造を伴う洗剤産業、液体肥料の工業的生産、核エネルギープラントにおいて、殺虫剤および防カビ剤の配合用に、ガラス、ファイバガラス、プラスチックおよびゴムの製造と合わせて、凍結防止剤組成物、熱流体、金属処理コーティング組成物、絶縁難燃剤組成物、写真用組成物の工業的製造、およびセラミックおよび木材産業での用途において有益でありうる。
【００７１】
懸濁液が中性子の吸収に使用される実施の形態では、懸濁液は好ましくは核エネルギーからの電力の発生に合わせて、好ましくは圧力下での水循環を備える核反応容器または「加圧水反応容器（ＰＷＲ）」内で使用される。
【００７２】
中性子を吸収するための使用では、好ましくは、核反応、核反応の制御または管理および核反応のシャットダウンにとって、使用されるウラン棒を制御下に維持することにとって有害となる事柄から、使用の目的または機能を選択することを目指し、ここで核反応とは好ましくは核分裂反応である。
【００７３】
ここで本発明をさらに以下の実施例によって例示するが、そこで考えられうる結果に限定されない。
【実施例】
【００７４】
（実施例１）
非ニュートンゲルを産業用せん断力ミキサーを用いて調製し、これによって９９．９８％の水中に０．０２重量％のカルボポール９８１（ルブリゾール社から）を含有する分散体を形成した。約１分間混合した後、ゲルの準備が完了した。
【００７５】
さらに、２５％ｍ／ｍ（＝質量）の顆粒形態のボラックス１０水和物（テクニカル・グレード（Ｔｅｃｈｎｉｃａｌ  ｇｒａｄｅ）、グラニュラ（Ｇｒａｎｕｌａｒ）、エチマインＳＡから）をこのゲルに混合した。２分後に、顆粒ボラックス１０水和物のゲル懸濁液の準備が完了し、安定化した。
【００７６】
（実施例２）
カルボマーゲルの調製
ＩＫＡ・マジック・ＬＡＢ・ハイ・シェア・ミキサー（ＩＫＡ  ｍａｇｉｃ  ＬＡＢ  Ｈｉｇｈ  Ｓｈｅａｒ  Ｍｉｘｅｒ）内で、４０ｇのカルボポール９４１粉末を９２０ｇの水に混合し、４０ｇの２９重量％強度のＮａＯＨ溶液を導入することによって、ｐＨを６．８まで上げた。
【００７７】
カルボポール９４１は架橋ポリアクリル酸ポリマーと記されており、粉末形態で入手可能でありうる。カルボポール９４１をジメチルアセトアミド（ＤＭＡ）に溶解してゲル浸透クロマトグラフィー（ＧＰＣ）にかけた場合に、カルボポール９４１は２１からだいたい３２分の保持ウィンドー間にブロードピークを示すスペクトルを与え、これはＤＭＡに関して、ポリメチルメタクリレート参照標準を用いてキャリブレートされた分析システムにおいて、以下の分子量情報を提供するものであり：Ｍｎ＝９６４８３、Ｍｗ＝１６３８０２、多分散度Ｍｗ／Ｍｎ＝１．７０、ＭＰ＝１１４３５８（保持時間＝約２６分）、Ｍｚ＝２６３７３８およびＭｚ＋１＝３７９２８９といった結果となった。
【００７８】
懸濁液の調製
６００リットルの本実施例のカルボマーゲルに、３５０ｋｇの量のボラックス（１０水和物、上記実施例１と同じ原料）を混合し、ボラックスの安定な懸濁液を得た。１０００リットルの水中に１０ｋｇのカルボポール６７４を高せん断力混合を用いて混合し、次に、１５００ｋｇのボラックスを攪拌下で添加した場合に、同様に安定なボラックス懸濁液を得た。
【００７９】
（実施例３）
ホウ酸懸濁液の調製
エチミン（ＥＴＩＭＩＮ）社から商品名エチマデン（ＥＮＴＩＭＡＤＥＮ）（登録商標）で得られる純度９９．９０重量％の顆粒ホウ酸を用いた。この顆粒製品は、１．０００ｍｍの開口を有するふるい上に残る粒子を多くとも２．００重量％含み、０．０６３ｍｍの開口を有するふるいを通過する粒子を多くとも４．００重量％しか含まないものであった。
【００８０】
最初に２回、同じゲルを、高せん断力混合条件下で１０ｋｇのカルボポール６７４（ルブリゾールから）を１０００ｋｇの水中に毎回混合することによって、調製した。次に、懸濁液ＡおよびＢを、それぞれ５００ｋｇおよび１０００ｋｇの顆粒ホウ酸を各ゲル中に混合することによって調製した。固形分のパーセンテージはそれぞれ２０．１０重量％および３０．５０重量％と測定された。懸濁液のｐＨは調節せず、それぞれ３．４および３．７であった。
【００８１】
両方の懸濁液の粘度を、ブルックフィールドＲＶ粘度計を用いて、スピンドル３でこれを各種回転速度で測定した。結果を表１に示し、図１に図示する。全ての結果はセンチポイズ（ｍＰａ．ｓ）および１分間当たりの回転における回転速度（ｒｐｍ）で表す。
【００８２】
【表１】
0005882317.tif 000004
【００８３】
粘度変化はスピンドルの回転速度の関数であり、明らかに両方の懸濁液の非ニュートン性状を示しており、より特別には、粘度は低せん断速度で比較的高く、高せん断速度で非常に低くなる。
【００８４】
この懸濁液の特別な流動性状の利点は、たとえば、より薄い懸濁液を調製するために、常套のポンプでこれらをポンピングできることである。
【００８５】
ここで本発明を十分に記載したが、請求の範囲内のパラメータの幅広い範囲内で、本発明の精神および範囲からから逸脱することなく、本発明を実施することができることは、当業者にとって自明である。当業者に理解されるように、発明全体は、請求の範囲に規定されるように、ここで特に列挙されない他の好ましい実施の形態を含む。
【図１】
0005882317.tif 000005